(57)【特許請求の範囲】
【請求項１】
仮想的な計器図をフェースプレートウィンドウに表示する、プロセス制御用の操作監視用表示装置において、
頻繁に使用する描画部品をパーツ化して作成するツールであって、ユーザーにより定義される表示デザイン，操作デザイン，汎用名定義の少なくとも１つよりなるフェースプレートデザイン情報に基づきデザインであるリンクパーツを作成するリンクパーツツール手段と、
前記リンクパーツに対して、ユーザーにより定義され汎用名と実際のタグ名／アイテム名のプロセス等との割り当て表である汎用名セットの選択的な割付を実行して前記仮想的な計器図を表示するためのグラフィックオブジェクトを作成するグラフィックビルダ手段と、
前記グラフィックオブジェクトを読み込んで前記フェースプレートウィンドウに前記仮想的な計器図を表示させるグラフィックウィンドウ手段と、
を備え、
前記リンクパーツ並びに汎用名セットは、夫々複数個作成され、前記グラフィックビルダ手段は、前記リンクパーツに対して前記汎用名セットを選択的に割り付けて前記グラフィックオブジェクトを作成すると共に、前記グラフィックウィンドウ手段は、前記グラフィックビルダ手段で作成された、複数のグラフィックオブジェクトのリスト選択により任意のフェースプレートウィンドウを呼び出して表示させることを特徴とする操作監視用表示装置。
【請求項２】
前記リンクパーツツール手段は、前記仮想的な計器図を複数個組み合わせたフェースプレートデザイン情報を取得してリンクパーツを作成することを特徴とする請求項１に記載の操作監視用表示装置。
【発明の詳細な説明】
【０００１】
【発明の属する技術分野】
本発明は、プロセス制御に関する操作監視用表示装置において、フェースプレートデザイン作成の機能改善に関する。
【０００２】
従来技術の説明に先立ち、本発明が適用されるプロセス制御装置の概要を図１１に基いて説明する。図において、制御部２はプラント１の監視と制御とを行う。そして、制御部２は、監視結果に基づいて、記憶部３に記憶された描画データにより表示部（ＣＲＴ）４に操作監視ウィンドウの表示を行う。操作手段５はキーボード又はマウスで、制御部２を操作する。
【０００３】
制御部２は、監視制御手段２１と表示処理手段２２とからなる。また、制御部2は一般にコンピュータで構成され、監視制御手段２１及び表示処理手段２２は一般にプログラムで記述されている。そしてこのプログラムは、一般に記録媒体（ＦＤＤ，ＣＤ−ＲＯＭ等）またはネットワークを経由した上位のコンピュータからのダウンロードでインストールされる。
【０００４】
監視制御手段２１は、プラント１の監視を行うと共にプラント１における各種プロセスの制御を行う。表示処理手段２２は、監視制御手段２１からの監視結果を入力し、スケーリング指示に基づいて決められた描画データを記憶部３から呼び出し、大きさの演算を行い、表示部４への表示処理を実行する。
【０００５】
記憶部３は例えばハードディスク等で、画面データ３１、計器表示データ３２を記憶する。画面データ３１は、画面に描画する種類情報、大きさ情報、位置情報、操作調節キー情報などからなる。
【０００６】
表示部４によるウィンドウ表示の種類には、グラフィックウィンドウ、制御ドローイング状態表示ウィンドウ、ロジックチャート状態表示ウィンドウ等がある。グラフィックウィンドウは、オペレータがシステムを操作監視するための仮想的な計器図、データ、ボタンなどを表示する。
【０００７】
制御ドローイング状態表示ウィンドウは、システムの処理の流れを示したウィンドウであり、システムの入出力値、設定値などを表示する。ロジックチャートウィンドウは、データ値の演算処理の流れ等を示したウィンドウである。
【０００８】
本発明はこれらウィンドウの内、仮想的な計器図、データ、ボタンなどを表示するグラフィックウィンドウにおいて、フェースプレートデザイン作成の機能改善に関する。６はエンジニアリング用ＰＣ手段であり、フェースプレートに関するグラフィックオブジェクトを作成し、記憶部３にネットワーク等を介してダウンロードする。
【０００９】
【従来の技術】
図９に従来のフェースプレートウィンドウの一例を示す。（Ａ）はアナログ形フェースプレートウィンドウ、（Ｂ）はディスクリートアナログ形フェースプレートウィンドウの一例である。この場合のフェースプレートウィンドウは、仮想的な計器図であり、計器単体（１ループ）を１：１で画面表示し、通常は操作部（図１１で５）のキーボードの機能に対応して、８ループを１組にして表示される。
【００１０】
このフェースプレートウィンドウは、計器仕様ファイルと言われている表示と操作の仕様が書かれたファイル通りに表示される。この計器仕様ファイルは、メーカー側が標準的に作成してユーザーに提供されるものであり、ユーザーが仕様変更することはできない。
【００１１】
【発明が解決しようとする課題】
フェースプレートウィンドウは、前面で操作監視するウィンドウであるため、もっとグラフィカルに表示したい、ジョブ毎に自由なフェースプレートウィンドウを作成してジョブの特色を出したい、等のユーザーの要求を満足しない。
【００１２】
フェースプレートウィンドウに、バルブ等のグラフィカルなパーツを表示したいユーザーの要求を満足しない。
【００１３】
図１０で示すような温度調節計ＴＩＣの出力を流量調節計ＦＩＣの設定値とするカスケード制御系では、２個の計器ＴＩＣ及びＦＩＣを関連付け一体化したフェースプレートウィンドウは操作性がよいが、単体計器毎の表示のみをサポートする仕様ではこのようなユーザー要求を満足しない。
【００１４】
【課題を解決するための手段】
このような課題を達成するために、本発明のうち請求項１記載の発明は、仮想的な計器図をフェースプレートウィンドウに表示する、プロセス制御用の操作監視用表示装置において、
頻繁に使用する描画部品をパーツ化して作成するツールであって、ユーザーにより定義される表示デザイン，操作デザイン，汎用名定義の少なくとも１つよりなるフェースプレートデザイン情報に基づきデザインであるリンクパーツを作成するリンクパーツツール手段と、
前記リンクパーツに対して、ユーザーにより定義され汎用名と実際のタグ名／アイテム名のプロセス等との割り当て表である汎用名セットの選択的な割付を実行して前記仮想的な計器図を表示するためのグラフィックオブジェクトを作成するグラフィックビルダ手段と、
前記グラフィックオブジェクトを読み込んで前記フェースプレートウィンドウに前記仮想的な計器図を表示させるグラフィックウィンドウ手段と、
を備え、
前記リンクパーツ並びに汎用名セットは、夫々複数個作成され、前記グラフィックビルダ手段は、前記リンクパーツに対して前記汎用名セットを選択的に割り付けて前記グラフィックオブジェクトを作成すると共に、前記グラフィックウィンドウ手段は、前記グラフィックビルダ手段で作成された、複数のグラフィックオブジェクトのリスト選択により任意のフェースプレートウィンドウを呼び出して表示させる点にある
【００１５】
請求項２記載発明の特徴は、前記リンクパーツツール手段は、前記仮想的な計器図を複数個組み合わせたフェースプレートデザイン情報を取得してリンクパーツを作成する点にある。
【００１８】
【発明の実施の形態】
以下本発明実施態様を、図面を用いて説明する。本発明は、図１１で説明した本発明が適用されるプロセス制御装置における表示処理手段２２、記憶部３、エンジニアリング用ＰＣ６に関する新規な機能改善を提供するものである。
【００１９】
図１は、本発明操作監視用表示装置の機能ブロック線図である。リンクパーツツール手段７は、ユーザーにより定義される表示デザイン, 操作デザイン, 汎用名定義の少なくとも１つよりなるフェースプレートデザイン情報に基づきリンクパーツ（デザイン）を作成する。グラフィックビルダ手段８は、リンクパーツの配置並びに汎用名セットの割付を実行してグラフィックオブジェクトを作成する。グラフィックウィンドウ手段９は、グラフィックオブジェクトを読み込んでユーザー定義のフェースプレートウィンドウを表示する。
【００２０】
図２は、本発明によるフェースプレートウィンドウ作成のイメージ図である。（Ａ）はフェースプレートデザイン情報に基づきリンクパーツツール手段でユーザー作成しデータベース化されたデザイン一覧、（Ｂ）は同じくデータベース化された汎用名セット一覧、（Ｃ）はデザイン一覧及び汎用名セット一覧より各１個選択されたデータを合成して表示されたフェースプレートウィンドウを示す。
【００２１】
図２（Ｃ）はアナログ形フェースプレートウィンドウ、図３はディスクリート形フェースプレートウィンドウ、図４は図１０で説明したカスケード制御系における２個の計器を一体表示するフェースプレートウィンドウを示す。このようにユーザーはあらかじめ登録したデザイン情報と汎用名セット情報を選択合成することによりジョブ毎に自由なフェースプレートウィンドウを作成し、ジョブの特色を出した表示ができる。
【００２２】
図５は、エンジニアリング用ＰＣ手段６と操作監視用ＰＣ手段２の関係を示す構成図であり、両者はネットワーク手段１０を介して接続されている。エンジニアリング用ＰＣ手段６内には、リンクパーツツール手段７及びグラフィックビルダ手段８を具備し、操作監視用ＰＣ手段２内には、グラフィックウィンドウ手段９を具備している。ネットワーク１０を介してグラフィックオブジェクトが操作監視用ＰＣ手段２にダウンロードされる。
【００２３】
図６は、本発明におけるユーザー作業の流れを示すフローチャートであり、大きな作業分類では、デザイン作成段階（Ａ）、エンジニアリング段階（Ｂ）、オペレーション段階（Ｃ）の３段階である。
【００２４】
作業の流れ及び具体的な作業内容は、まずデザイン作成段階（Ａ）では、ＪＯＢ要求書に基づいてユーザー定義フェースプレートウィンドウデザイン書が作成される。この作業内容は、表示デザイン、操作デザイン、汎用名の定義である。
【００２５】
次にエンジニアリング段階（Ｂ）では、エンジニアリング用ＰＣ手段６に前記フェースプレートウィンドウデザイン書の内容が入力される。エンジニアリング用ＰＣ手段では、リンクパーツツール手段７により、デザインの作成が実行され、更にグラフィックビルダ手段８により、リンクパーツの配列と汎用名セットの割付が実行され、グラフィックオブジェクトが作成される。
【００２６】
オペレーション段階（Ｃ）では、操作監視用ＰＣ手段２に前記グラフィックオブジェクトがダウンロードされ、グラフィックウィンドウ手段９により選択合成されたフェースプレートが表示される。
【００２７】
ここで、リンクパーツツールとは、頻繁に使用する描画部品をパーツ化して作成するツールであり、ユーザー定義フェースプレートは、部品化登録し複数の用途で使用させたい為、リンクパーツで作成する。またグラフィックビルダとは、グラフィックウィンドウを作成、編集する機能である。
【００２８】
図７はこのような作業の流れを、エンジニアリング用ＰＣ手段及び操作監視用ＰＣ手段で作成されるデータベースの流れに着目して示した作業手順である。
【００２９】
エンジニアリング用ＰＣ手段では、入力されるユーザー定義フェースプレートウィンドウデザイン書に基づき、リンクパーツツールからリンクパーツデータベースＤＢ１にパーツ情報が書き込まれる。グラフィックビルダ手段はＤＢ１よりリンクパーツ情報を読み込み、汎用名セットの割付を実行し、グラフィックオブジェクトを作成してデータベースＤＢ２に書き込む。
【００３０】
操作監視用ＰＣ手段では、ＤＢ２に書き込まれたグラフィックオブジェクトをデータベースＤＢ３にネットワーク等を介してダウンロードする。ダウンロードされたグラフィックオブジェクトは、グラフィックウィンドウに読み込まれてフェースプレートウィンドウが表示される。
【００３１】
次に、図８によりユーザー定義フェースプレートウィンドウの呼び出し手順を説明する。ユーザー定義フェースプレートウィンドウを呼び出すには、「フェースプレート呼び出しウィンドウ」をグラフィックビルダ手段で作成することで、オペレータが汎用名セットを知らなくても呼び出すことが容易となる。
【００３２】
（Ａ）は、グラフィックビルダ手段で作成したフェースプレート呼び出しウィンドウであり、汎用名セットを含む複数のフェースプレート名のリストが表示されている。各リストは（Ｂ）に示すグラフィックウィンドウの汎用名セットに対応している。
【００３３】
オペレータはフェースプレート呼び出しウィンドウからマウスクリックで呼び出したいウィンドウを選択する。この図では汎用セット名０３が選択されている。グラフィックウィンドウでは、グラフィックビルダ手段で作成したユーザー定義フェースプレートデザインであるグラフィックオブジェクトとオペレータが選択した汎用名セット０３とを組み合わせ、（Ｃ）で示すようなユーザー定義フェースプレートウィンドウを作成して表示する。
【００３４】
【発明の効果】
以上説明したことから明らかなように、本発明によれば、フェースプレートウィンドウを、ユーザー仕様でグラフィカルに表示することができるので、ジョブ毎に自由なフェースプレートウィンドウを作成し、ジョブの特色を出すことができる。
【００３５】
フェースプレートウィンドウに、バルブ等のグラフィカルなパーツを自由に表示することができる。
【００３６】
カスケード制御系のように、関連する複数の計器（タグ）を一体化したフェースプレートウィンドウ表示できるので、は操作監視の効率を上げることができる。
【図面の簡単な説明】
【図１】本発明操作監視用表示装置の機能ブロック線図である。
【図２】本発によるフェースプレートウィンドウ作成のイメージ図である。
【図３】本発明によるディスクリート形フェースプレートウィンドウの表示例である。
【図４】本発明によるカスケード制御系フェースプレートウィンドウの表示例である。
【図５】本発明におけるエンジニアリング用ＰＣ手段６と操作監視用ＰＣ手段２の関係を示す構成図である。
【図６】本発明におけるユーザー作業の流れを示すフローチャートである。
【図７】本発明における作業の流れを、エンジニアリング用ＰＣ及び操作監視用ＰＣで作成されるデータベースの流れに着目して示した作業手順である。
【図８】本発明によるユーザー定義フェースプレートウィンドウの呼び出し手順の説明図である。
【図９】従来の操作監視用表示装置におけるフェースプレートウィンドウの表示例である。
【図１０】一般的なカスケード制御系の説明図である。
【図１１】本発明が適用されるプロセス制御装置の概要を説明するブロック線図である。
【符号の説明】
７    リンクパーツツール手段
８    グラフィックビルダ手段
９    グラフィックウィンドウズ手段
【図１】
0004626785.tif 000002
【図２】
0004626785.tif 000003
【図３】
0004626785.tif 000004
【図４】
0004626785.tif 000005
【図５】
0004626785.tif 000006
【図６】
0004626785.tif 000007
【図７】
0004626785.tif 000008
【図８】
0004626785.tif 000009
【図９】
0004626785.tif 000010
【図１０】
0004626785.tif 000011
【図１１】
0004626785.tif 000012